Podtech/llm-jp-corpus-v4-ja_patent huggingface dataset:
【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
マシンスピンドルを通じてマシンスピンドルに取り付けられたツールホルダーへの寒剤クーラントの軸方向の供給用デバイスであって、
外部供給源からマシンスピンドルまで寒剤クーラントを収容するための断熱チューブと、
断熱チューブを収容するためのマシンスピンドルの回転軸線上の軸方向ソケット開口であって、ツールホルダーの反対にあるスピンドルの端部にある軸方向ソケット開口と、
断熱チューブを囲む軸方向ソケット開口に取り付けられたソケットライナーと、
断熱チューブの少なくとも一部分からなる大きい直径の断熱部分と、
軸方向ソケット開口と断熱チューブの大きい直径の断熱部分との間をシールするために軸方向ソケット開口に配置されたシールであって、断熱チューブの大径の断熱部分が寒剤クーラントの低温からシールを保護する、シールと、
断熱チューブからの寒剤を収容するためのツールホルダーの軸方向の通路と、を備える、デバイス。
【請求項２】
請求項１記載のデバイスにおいて、
ソケットライナーの端部に形成された排出ポートを更に備え、
排出ポートは、断熱チューブの端部及びツールホルダーの軸方向の通路と軸方向に整合し、それによって、断熱チューブからの寒剤は、断熱チューブからソケットライナーの排出ポートまで軸方向の通路に沿って供給され、ソケットライナーの排出ポートからツールホルダーの軸方向の通路まで供給される、デバイス。
【請求項３】
請求項２記載のデバイスにおいて、
軸方向ソケット開口に配置された少なくとも一つのベアリングを更に備え、ベアリングは、マシンスピンドルの回転軸線上に断熱チューブを配置する、デバイス。
【請求項４】
マシンスピンドルを通じてマシンスピンドルに取り付けられた可動ツールホルダーへの寒剤クーラントの軸方向の供給用デバイスであって、
外部供給源から寒剤クーラントを供給するための寒剤供給ラインと、
寒剤供給ラインから寒剤クーラントを収容するためのクーラント供給チューブと、
クーラント供給チューブからの寒剤クーラントを収容するためのマシンスピンドルの軸方向の通路と、
寒剤供給ラインとクーラント供給チューブとの間の寒剤の流れを制御するためのバルブ装置であって、寒剤の流れは、可動ツールホルダーがマシンスピンドルから取り除かれるときに寒剤の流れが止められる、バルブ装置と、
寒剤供給ラインの端部を囲むと共に、寒剤供給ラインから寒剤を収容するバルブ装置上の空間を形成する第１ハウジングと、
ハウジングに接合されたアクチュエーターであって、第１ハウジングを昇降し、バルブ装置を制御し、寒剤供給ラインからクーラント供給チューブまでの寒剤の流れを制御するアクチュエーターと、
クーラント供給チューブの端部を収容するためのツールホルダーの軸方向の通路であって、寒剤供給ラインの端部を囲むハウジングの上昇は、ツールホルダーの軸方向の通路からクーラント供給チューブの端部を引っ込める、のツールホルダーの軸方向の通路と、を備える、デバイス。
【請求項５】
請求項４記載のデバイスにおいて、
クーラント供給チューブの下端部を収容するためにツールホルダーに取り付けられた低温マニホールドと、
低温マニホールドの軸方向の通路と、を更に備え、
それによって、低温マニホールドの軸方向の通路は、クーラント供給チューブから寒剤を収容し、寒剤をツールホルダーに取り付けられたツールに供給する、デバイス。
【請求項６】
請求項５記載のデバイスにおいて、
低温マニホールドに取り付けられた少なくとも一つのスプリングプランジャーと、
クーラント供給チューブの下端部に形成されたデテントと、を更に備え、
それによって、スプリングプランジャーは、クーラント供給チューブが低温マニホールドの中に完全に挿入されたときにデテントと係合する、デバイス。
【請求項７】
請求項５記載のデバイスにおいて、
低温マニホールドは、低熱伝導率の材料からなる、デバイス。
【請求項８】
請求項７記載のデバイスにおいて、
低温マニホールドを構成する材料は、ポリテトラフルオロエチレンである、デバイス。
【請求項９】
請求項４記載のデバイスにおいて、
クーラント供給チューブの内部への寒剤の流れを確立するためのポートを有し、クーラント供給チューブの上端部のエンドキャップと、
エンドキャップの外面と係合するシールと、を更に備え、
それによって、エンドキャップ上のシールの位置の制御は、ポートを通じたクーラント供給チューブの内部への寒剤の流れを制御する、デバイス。
【請求項１０】
請求項９記載のデバイスにおいて、
クーラント供給チューブの上端部を包含する、第１ハウジングの端部に結合された第２ハウジングを更に備え、
それによって、アクチュエーターは、第１ハウジング及び第２ハウジングを昇降してクーラント供給チューブのエンドキャップのシールの位置を制御し、寒剤供給ラインからクーラント供給チューブへの寒剤の流れを制御する、デバイス。
【請求項１１】
請求項５記載のデバイスにおいて、
低温マニホールドに取り付けられ、低温マニホールドの軸方向の通路の一部分を囲むシールを更に備え、
シールは、低温マニホールドの中に完全に挿入されるときのクーラント供給チューブの下端部からの漏れを防止するためにツールホルダーの中に完全に取り付けられるときにクーラント供給チューブの下端部と係合する、デバイス。
【請求項１２】
請求項５記載のデバイスにおいて、
低温マニホールドの上部に取り付けられたコーン形状のガイドを更に備え、
コーン形状のガイドは、低温マニホールドの中に下げられるときにクーラント供給チューブの下端部と整合する、デバイス。
【請求項１３】
請求項５記載のデバイスにおいて、
クーラント供給チューブの下端部の外面と係合するための低温マニホールドのシールを更に備え、
クーラント供給チューブは、非回転であり、
シールは、ツールのホルダーの回転構造と非回転クーラント供給チューブとの間のインターフェースである、デバイス。
【請求項１４】
請求項９記載のデバイスにおいて、
クーラント供給チューブは、マシンスピンドルと共に回転し、
エンドキャップの外面と係合するシールは、回転クーラント供給チューブとデバイスの非回転構造との間のインターフェースである、デバイス。
【請求項１５】
請求項１記載のデバイスにおいて、
外部供給源から寒剤クーラントを収容するための断熱チューブは、小さい直径の真空断熱されたチューブを備える、デバイス。
【請求項１６】
請求項１記載のデバイスにおいて、
断熱チューブの大きい直径の断熱部分は、真空断熱される、デバイス。
【請求項１７】
請求項４記載のデバイスにおいて、
寒剤供給ラインは、真空断熱チューブを備える、デバイス。
【請求項１８】
請求項４記載のデバイスにおいて、
クーラント供給チューブは、小さい直径の真空断熱されたチューブを備える、デバイス。
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
布地物品を連続バッチ式トンネル洗濯機で洗浄する方法であって、
ａ）内部と、取水部と、排水部と、複数のモジュールと、液体とを有する連続バッチ式トンネル洗濯機を準備するステップ、
ｂ）布地物品を取水部からモジュールへと順次移動させるステップ、
ｃ）ステップｂにおいて、１又は複数のモジュールが両用ゾーンを画定し、布地物品の洗浄とすすぎの両方を行ない、
ｄ）ステップｂとｃにおける布地物品の移動方向とは略反対向きの流れ径路に沿って、洗濯機内部にすすぎ液の対向流を生成するステップ、
ｅ）洗浄用化学剤を両用ゾーンの液体へ添加するステップ、
ｆ）ステップｄの後、選択された時間間隔で洗濯機内部におけるすすぎ液の対向流を生成するステップ、
を含んでいる、方法。
【請求項２】
ステップｆの対向流は、毎分約35乃至105ガロン(毎分133乃至397リットル)の流量である請求項１に記載の方法。
【請求項３】
ステップｅの前に、両用ゾーンの液体を加熱するステップをさらに含んでいる、請求項１に記載の方法。
【請求項４】
両用ゾーンの液体流れは、約５分未満の時間、実質的に中断される、請求項１に記載の方法。
【請求項５】
両用ゾーンの液体流れは、約３分未満の時間、実質的に中断される、請求項１に記載の方法。
【請求項６】
両用ゾーンの液体流れは、約２分未満の時間、実質的に中断される、請求項１に記載の方法。
【請求項７】
両用ゾーンの液体流れは、約20秒乃至120秒の時間、実質的に中断される、請求項１に記載の方法。
【請求項８】
液体は約100乃至190°Ｆ(38乃至88℃)の温度に加熱される、請求項６に記載の方法。
【請求項９】
ステップｆの対向流は複数のモジュールを通る、請求項１に記載の方法。
【請求項１０】
両用ゾーンは複数のモジュールを含んでいる、請求項１に記載の方法。
【請求項１１】
ステップｄにおいて、対向流の流体は上方に導かれる、請求項１に記載の布地物品洗浄方法。
【請求項１２】
布地物品は、ステップｄにおいてモジュールの一つですすぎが行われた後、出口モジュールに移される、請求項１に記載の布地物品洗浄方法。
【請求項１３】
ステップｄの時間間隔は約0.5分乃至1.5分である、請求項１に記載の布地物品洗浄方法。
【請求項１４】
ステップｄの時間間隔は約0.5分乃至2分である、請求項１に記載の布地物品洗浄方法。
【請求項１５】
洗濯機抽出機装置であって、
ａ）洗浄液と洗濯される布地物品とを入れるリザーバを有する連続バッチ式洗濯機であって、入口モジュール、出口モジュール、一つ又は複数の洗浄モジュール、及び一つ又は複数のすすぎモジュールを含む複数のモジュールを有する洗濯機を具え、
ｂ）洗浄液と布地物品のポンド比率は約４：１であり、水がリザーバに加えられる場合は吸収された水がプラスされ、
ｃ）前記洗濯機内の布地物品に対し、布地物品１ポンド当たり約0.5乃至2ガロン(１キログラム当たり4乃至17リットル)の量にて、選択された時間間隔で流体のパルス流れを可能にするポンプを具え、
ｄ）前記ポンプは、布地物品１ポンド当たり0.35乃至0.6ガロン(１キログラム当たり3乃至5リットル)の量で、選択された時間間隔内に水を洗濯機へ送ることができる、
洗濯機抽出機装置。
【請求項１６】
リザーバに化学剤を添加するための流れラインをさらに含んでいる、請求項１５に記載の装置。
【請求項１７】
ポンプは、前記洗濯機に対して、毎分約50乃至150ガロン(g.p.m.)(毎分189乃至568リットル)の流量の流体の流れを生成する、請求項１５に記載の装置。
【請求項１８】
水使用量は、処理される布地物品１ポンド当たり約1乃至2ガロン(１キログラム当たり8乃至17リットル)である、請求項１５に記載の装置。
【請求項１９】
ステップｆの後、抽出機を用いて、過剰の液体を除去することを含んでいる請求項１の方法。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
埋め込み型パルス発生器と、
前記パルス発生器が治療信号を送信できるように前記パルス発生器に接続された埋め込み型信号送出要素と、
を含み、
前記パルス発生器は、前記治療信号を生成し、かつ前記治療信号を前記信号送出要素に対して送信するための命令を収容する機械可読な媒体を含んでおり、
前記治療信号の少なくとも一部は、１．５ｋＨｚから１００ｋＨｚまでの範囲の周波数、０．１ｍＡから２０ｍＡまでの範囲の振幅、そして、１０マイクロ秒から３３３マイクロ秒までの範囲のパルス幅を有する、
ことを特徴とする脊髄調整システム。
【請求項２】
前記振幅の範囲が、０．５ｍＡから１０ｍＡまでである、請求項１に記載の脊髄調整システム。
【請求項３】
前記振幅の範囲が、１ｍＡから６ｍＡまでである、請求項１に記載の脊髄調整システム。
【請求項４】
前記振幅の範囲が、１ｍＡから４ｍＡまでである、請求項１に記載の脊髄調整システム。
【請求項５】
前記振幅の範囲が、２ｍＡから３．５ｍＡまでである、請求項１に記載の脊髄調整システム。
【請求項６】
前記パルス幅の範囲が、２５マイクロ秒から１６６マイクロ秒までの範囲である、請求項１乃至５のうちいずれか一項に記載の脊髄調整システム。
【請求項７】
前記パルス幅の範囲が、２５マイクロ秒から１６６マイクロ秒までの範囲である、請求項１乃至５のうちいずれか一項に記載の脊髄調整システム。
【請求項８】
前記周波数の範囲が、１．５ｋＨｚから５０ｋＨｚまでの範囲である、請求項１乃至７のうちいずれか一項に記載の脊髄調整システム。
【請求項９】
前記周波数の範囲が、３ｋＨｚから２０ｋＨｚまでの範囲である、請求項１乃至７のうちいずれか一項に記載の脊髄調整システム。
【請求項１０】
前記周波数の範囲が、３ｋＨｚから１５ｋＨｚまでの範囲である、請求項１乃至７のうちいずれか一項に記載の脊髄調整システム。
【請求項１１】
前記周波数の範囲が、３ｋＨｚから１０ｋＨｚまでの範囲である、請求項１乃至７のうちいずれか一項に記載の脊髄調整システム。
【請求項１２】
前記周波数が、１０ｋＨｚである、請求項１乃至７のうちいずれか一項に記載の脊髄調整システム。
【請求項１３】
前記周波数の範囲が、５ｋＨｚから１５ｋＨｚまでの範囲である、請求項１乃至７のうちいずれか一項に記載の脊髄調整システム。
【請求項１４】
前記パルス発生器の信号送出パラメータを遠隔操作で更新するために前記埋め込み型パルス発生器と無線で通信可能に接続された内科医プログラマーをさらに含むことを特徴とする、請求項１乃至１３のいずれか一項に記載の脊髄調整システム。
【請求項１５】
前記内科医プログラマーは、周波数、振幅、パルス幅、又は信号送出位置を更新するよう構成されている、請求項１４に記載の脊髄調整システム。
【請求項１６】
前記パルス発生器は、５０％又はそれ以下の負荷サイクルで前記治療信号を送出するよう構成されている、請求項１乃至１５のいずれか一項に記載の脊髄調整システム。
【請求項１７】
前記信号送出デバイスは、複数の離間されたコンタクトを有し、脊髄の硬膜外腔への埋め込みに適合した長形のリードを含んでいることを特徴とする、請求項１乃至１６のいずれか一項に記載の脊髄調整システム。
【請求項１８】
前記治療信号は、知覚異常を誘発しない治療信号である、請求項１乃至１７のいずれか一項に記載の脊髄調整システム。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
胎児および母体の健康指標を監視するための超広帯域（ＵＷＢ）胎児監視システムであって、
前記システムは、ＵＷＢデータを受信し、送信するように構成されたセンサを有し、
前記センサは、少なくとも１つのアンテナと、
前記アンテナに接続された受信器と、を備え、前記受信器は、前記アンテナによって受信された発射された信号の反射を受信し、この反射を処理して、前記信号処理装置へ送られるデータを生成するように構成され、
前記センサはさらに、電源と、
送信器と、を有し、前記送信器は、超広帯域スペクトル信号として前記アンテナから発射される信号として送信される、低電圧、短持続時間の一連の広帯域パルスを発生させるように構成され、
前記システムはさらに信号処理装置を有し、前記信号処理装置は、前記センサから信号データを受信し、この情報を処理して、深さおよび時間をインデックスとする反射信号のマトリックスを形成するように構成され、また、反射された信号内のマトリックス内の胎児の領域と母体の領域とを区別する１つまたは複数の目印を決定するように構成され、前記マトリックスから、胎児の複数の健康指標または胎児および母体の複数の健康指標を抽出するように構成される、システム。
【請求項２】
前記センサが、受信アンテナおよび送信アンテナを備える、請求項１に記載のシステム。
【請求項３】
前記センサが、受信し、送信するように構成された結合型アンテナを備える、請求項１に記載のシステム。
【請求項４】
複数のセンサをさらに備え、前記複数のセンサがそれぞれ、ＵＷＢ信号データを受信し、送信するように構成されており、少なくとも１つのアンテナを備える、請求項１に記載のシステム。
【請求項５】
モノスタティック動作するように構成されており、それぞれのセンサからの前記ＵＷＢ信号の前記送信が、その同じセンサによって受信される、請求項４に記載のシステム。
【請求項６】
マルチスタティック動作するように構成されており、１つのセンサからのＵＷＢ信号の前記送信が別のセンサによって受信される、請求項４に記載のシステム。
【請求項７】
前記信号処理装置が、胎児心拍数、胎児心拍変動、胎児呼吸、胎動からなるグループから選択された胎児の１つまたは複数の健康指標を決定するように構成された、請求項１に記載のシステム。
【請求項８】
前記信号処理装置が、母体心拍数、母体収縮数、母体血圧、母体呼吸からなるグループから選択された母体の１つまたは複数の健康指標を決定するように構成された、請求項１に記載のシステム。
【請求項９】
監視システムと通信する通信モジュールをさらに備える、請求項１に記載のシステム。
【請求項１０】
前記監視システムが、データを記憶し、送信するように構成されたコンピュータシステムまたはネットワーク化されたサーバを備える、請求項９に記載のシステム。
【請求項１１】
前記センサが、前記信号処理装置に結合し、前記信号処理装置から外れるように構成された１度だけ使用する使い捨てセンサとして構成された、請求項１に記載のシステム。
【請求項１２】
非ＵＷＢセンサをさらに備える、請求項１に記載のシステム。
【請求項１３】
前記非ＵＷＢセンサが加速度計を備える、請求項１２に記載のシステム。
【請求項１４】
前記１つまたは複数の抽出された胎児の健康指標または胎児および母体の健康指標を提示するように構成された出力をさらに備える、請求項１に記載のシステム。
【請求項１５】
送信エネルギーレベルアダプタをさらに有し、前記送信エネルギーレベルアダプタは、胎児により反射された信号のエネルギーレベルに基づいて、前記センサにより送信された前記ＵＷＢ信号のエネルギーレベルを調整するように構成される、請求項１に記載のシステム。
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
精巣の状態を診断するための、精巣のｉｎ  ｖｉｖｏでの１Ｈ磁気共鳴分光法スペクトルを比較する方法であって、
対象の精巣のｉｎ  ｖｉｖｏでの１Ｈ磁気共鳴分光法スペクトルを得るステップと、
前記対象精巣スペクトルを対照対象の精巣のスペクトルと比較するステップと、
を含む方法。
【請求項２】
精巣の状態を診断するための、精巣のｉｎ  ｖｉｖｏでの１Ｈ磁気共鳴分光法スペクトルの比較データを提供する方法であって、
対象の精巣のｉｎ  ｖｉｖｏでの１Ｈ磁気共鳴分光法スペクトルを得るステップと、
前記対象精巣スペクトルと対照対象の精巣のスペクトルとの比較データを提供するステップと、
を含む方法。
【請求項３】
診断される前記精巣の状態が、精子及び付随する生殖能力の存在又は欠如を含む、請求項１又は２に記載の方法。
【請求項４】
精子の存在を診断するステップが、前記２つのスペクトルのホスホコリン、タウリン及び可能性のある他の代謝シグナルを比較することを含む、請求項３に記載の方法。
【請求項５】
前記対象が、生殖能力又は不妊の治療のために外科的介入を受けたことがある、請求項１〜４のいずれか一項に記載の方法。
【請求項６】
前記外科的介入が、精索静脈瘤修復術、精管切除術、精管復元術、腫瘍切除術、又は精巣固定術である、請求項５に記載の方法。
【請求項７】
前記対象が、不妊の内科的治療を受けたことがある、請求項１〜４のいずれか一項に記載の方法。
【請求項８】
前記内科的治療が、クエン酸クロミフェン、タモキシフェン又は他の選択的エストロゲン受容体モジュレーターの投与、ＦＳＨ又はＬＨの注射による他のホルモン操作、全身性内科疾患の補正、非ホルモン治療、食事性サプリメント、抗酸化剤、ビタミン及びハーブ療法の使用を含む、請求項７に記載の方法。
【請求項９】
前記対象スペクトル及び前記対照対象スペクトルを得るステップが、スペクトル増強技術を用いることを含む、請求項１〜８のいずれか一項に記載の方法。
【請求項１０】
前記スペクトル増強技術が、水抑制法、脂肪抑制法、刺激エコー取得モード（ＳＴＥＡＭ）分光法、点解像分光法（ＰＲＥＳＳ）、化学シフト画像法（ＣＳＩ）、磁気共鳴分光画像法（ＭＲＳＩ）、ショートＴ１反転回復法（ＳＴＩＲ）、高解像度ＭＲＳ、マジックアングルスピニング法及びこれらの任意の組合せからなる群から選択される、請求項９に記載の方法。
【請求項１１】
診断される前記精巣の状態が、薬理学的作用剤への曝露、毒剤への曝露、過度の熱又は冷気などの異常な物理的状態への曝露、放射線療法への曝露、化学療法への曝露、疾患への曝露又は前記の任意の組合せの精子の産生に対する影響である、請求項１〜４のいずれか一項に記載の方法。
【請求項１２】
診断される前記精巣の状態が、精巣疾患の存在である、請求項１又は２に記載の方法。
【請求項１３】
前記精巣疾患が、癌、停留精巣、ライディッヒ細胞などの良性腫瘍、間質性腫瘍又は腺腫、精索静脈瘤の影響、毒素を含む投薬又は曝露、並びに感染、炎症及び精管切除術からの長期の閉塞の影響である、請求項１２に記載の方法。
【請求項１４】
前記対象及び対照対象がヒトである、請求項１〜１３のいずれか一項に記載の方法。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
交差部材を互いに回動するよう固定する固定手段を有し、第１の端部および第２の端部を作る一組の交差部材を具えている手術用クランプ器具であって、
前記交差部材の第２の端部は、前記一組の交差部材を定位置に固定するロック装置と指受リングとを具えており、
前記交差部材の第１の端部は遠位端にクランプ面を具え、少なくとも第１の湾曲部と第２の湾曲部と傾斜面とを有しており、
前記第１の湾曲部および第２の湾曲部は互いに対向しており、前記第１の湾曲部の寸法は前記第２の湾曲部の寸法よりも大きく、前記第２の湾曲部は前記第１の湾曲部の上部に配置されて凹部を具えていることを特徴とする手術用クランプ器具。
【請求項２】
請求項１に記載の手術用クランプ器具において、前記第１の湾曲部および第２の湾曲部が前記遠位端にＳ字型部分を形成することを特徴とする手術用クランプ器具。
【請求項３】
請求項１に記載の手術用クランプ器具において、前記第１の湾曲部および第２の湾曲部が、鋸歯状の内面と、縫合材の滑りを補助する平滑な外面とを具えることを特徴とする手術用クランプ器具。
【請求項４】
請求項１に記載の手術用クランプ器具において、前記傾斜面および前記第１の湾曲部の外面が、前記縫合材の滑りを補助するよう傾いていることを特徴とする手術用クランプ器具。
【請求項５】
請求項１に記載の手術用クランプ器具において、前記第１の湾曲部が、当該第１の湾曲部の表面から延在する歯を具えることを特徴とする手術用クランプ器具。
【請求項６】
請求項１に記載の手術用クランプ器具において、前記第１の湾曲部が、６０度以上の角度をなすことを特徴とする手術用クランプ器具。
【請求項７】
請求項１に記載の手術用クランプ器具において、前記第１の湾曲部および第２の湾曲部が角度をなしており、前記第２の湾曲部の角度は前記第１の湾曲部の角度よりも小さいことを特徴とする手術用クランプ器具。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
患者治療システムであって、
複数の電気接点を有する長形脊髄リード本体を含む患者埋め込み型信号送出デバイスと、
前記信号送出デバイスに電気的に接続され、調整信号を送出するための命令を用いてプログラムされるパルス発生器と、
前記パルス発生器に作動的に結合され、該パルス発生器から前記信号送出デバイスに誘導された調整信号の特性を変更する少なくとも１つの入力デバイスを有する遠隔制御装置と、
を含み、
前記特性は、
前記調整信号が印加される接点と、
前記調整信号がどの接点に印加されるかに無関係の前記調整信号の振幅と、
を含み、
前記遠隔制御装置は、ユーザ入力に基づいて陽極から陰極に又は陰極から陽極に前記電気接点を変更することができない、
ことを特徴とするシステム。
【請求項２】
陰極接点が、前記調整信号が送出される際に従うパルス列の開始時の負の分極パルスを受け取る電気接点であることを特徴とする請求項１に記載のシステム。
【請求項３】
前記パルス発生器は、約３ｋＨｚから約５０ｋＨｚの周波数で調整信号を送出するための命令を用いてプログラムされることを特徴とする請求項１又は２に記載のシステム。
【請求項４】
前記信号送出デバイスは、長形脊髄リード本体を含むことを特徴とする請求項１乃至３のいずれか一項に記載のシステム。
【請求項５】
前記遠隔制御装置は、前記パルス発生器に無線で結合されることを特徴とする請求項１乃至４のいずれか一項に記載のシステム。
【請求項６】
前記遠隔制御装置は、解除可能な有線リンクで前記パルス発生器に結合されることを特徴とする請求項１乃至４のいずれか一項に記載のシステム。
【請求項７】
前記パルス発生器は、どの接点が陽極か及びどれが陰極かを自動的に確立するための命令を含むことを特徴とする請求項１乃至６のいずれか一項に記載のシステム。
【請求項８】
前記パルス発生器は、前記遠隔制御装置によって担持されることを特徴とする請求項１乃至７のいずれか一項に記載のシステム。
【請求項９】
前記パルス発生器は、患者埋め込み型パルス発生器であることを特徴とする請求項１乃至８のいずれか一項に記載のシステム。
【請求項１０】
患者治療システムであって、
複数の電気接点を有する長形脊髄リード本体を含む患者埋め込み型信号送出デバイスと、
前記信号送出デバイスに電気的に接続され、調整信号を送出するための命令を用いてプログラムされるパルス発生器と、
前記パルス発生器に作動的に結合され、該パルス発生器から前記信号送出デバイスに誘導された調整信号の特性を変更する少なくとも１つの入力デバイスを有する遠隔制御装置と、
を含み、
前記特性は、
前記調整信号が印加される接点と、
前記調整信号がどの接点に印加されるかに無関係の前記調整信号の振幅と、
を含み、
前記遠隔制御装置及び前記パルス発生器のうちの少なくとも一方は、ユーザ入力なしで電気接点を陽極又は陰極として自動的に指定する、
ことを特徴とするシステム。
【請求項１１】
陰極接点が、前記調整信号が送出される際に従うパルス列の開始時に負の分極パルスを受け取る電気接点であることを特徴とする請求項１０に記載のシステム。
【請求項１２】
前記パルス発生器は、前記遠隔制御装置によって担持されることを特徴とする請求項１０又は１１に記載のシステム。
【請求項１３】
前記パルス発生器は、患者埋め込み型パルス発生器であることを特徴とする請求項１０乃至１２のいずれか一項に記載のシステム。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
クラステリンと特異的に結合することができる、配列番号１又は配列番号２で示したアミノ酸配列を含むペプチド。
【請求項２】
配列番号１又は配列番号２で示した配列と少なくとも７５％同一であるアミノ酸配列を含み、クラステリンと特異的に結合することができるペプチド。
【請求項３】
配列番号１又は配列番号２で示したアミノ酸配列からなるペプチド。
【請求項４】
カーゴ分子に連結している、請求項１から３のいずれか１項に記載のペプチド。
【請求項５】
カーゴ分子が、酵素、イメージング部分、放射性同位体又は細胞傷害性薬剤を含む、請求項４に記載のペプチド。
【請求項６】
カーゴ分子がイメージング部分を含む、請求項４に記載のペプチド。
【請求項７】
イメージング部分が、放射標識、フルオロフォア、近赤外蛍光色素又は磁気ナノ粒子を含む、請求項６に記載のペプチド。
【請求項８】
分子イメージング、又はクラステリンが上方制御されている病状の検出のための、請求項１から７のいずれか一項に記載のペプチドの使用。
【請求項９】
腫瘍の分子イメージングのための、請求項８に記載の使用。
【請求項１０】
分子イメージングが、光学イメージング、陽電子放出断層撮影、単一光子放射型コンピュータ断層撮影法、又は磁気共鳴画像である、請求項９に記載の使用。
【請求項１１】
病状が癌である、請求項８に記載の使用。
【請求項１２】
腫瘍細胞の検出のためのカーゴ分子に連結したペプチドを含む薬剤の使用であって、
前記ペプチドがクラステリンと特異的に結合でき、かつ前記ペプチドが配列番号４に記載のアミノ酸配列を含む、使用。
【請求項１３】
前記ペプチドが請求項１から３のいずれか１項に記載のペプチドであって、かつ前記カーゴ分子がイメージング部分を有する、請求項１２に記載の使用。
【請求項１４】
腫瘍細胞の上皮間葉移行を検出するための、クラステリンに特異的に結合でき、カーゴ分子に連結したペプチドを含む薬剤の使用。
【請求項１５】
前記ペプチドがクラステリンと特異的に結合することができ、かつ前記ペプチドが配列番号４に記載のアミノ酸配列を含む、請求項１４に記載の使用。
【請求項１６】
前記ペプチドが請求項１から３のいずれか１項に記載のペプチドである、請求項１５に記載の使用。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミドおよびＰＶＰ−ＶＡを含むアモルファス固形分散組成物。
【請求項２】
約１０−５０ｗ／ｖ％の（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約９０−５０ｗ／ｖ％のＰＶＰ−ＶＡを含む請求項１に記載の組成物。
【請求項３】
約２０−４０ｗ／ｖ％の（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約８０−６０ｗ／ｖ％のＰＶＰ−ＶＡを含む請求項２に記載の組成物。
【請求項４】
約２５ｗ／ｖ％の（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約７５％のＰＶＰ−ＶＡを含む請求項３に記載の組成物。
【請求項５】
少なくとも約３ヶ月間物理化学的に安定な組成物である、請求項１に記載の組成物。
【請求項６】
少なくとも約６ヶ月間物理化学的に安定な組成物である、請求項５に記載の組成物。
【請求項７】
ホットメルト押出成形または噴霧乾燥により製造される組成物である、請求項１に記載の組成物。
【請求項８】
錠剤化された組成物である、請求項７に記載の組成物。
【請求項９】
経口投与可能な組成物である、請求項８に記載の組成物。
【請求項１０】
経口投与可能な組成物である、請求項１に記載の組成物。
【請求項１１】
（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミドおよびＨＰＭＣ−ＡＳを含むアモルファス固形分散組成物。
【請求項１２】
約１０−５０のｗ／ｖ％（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約９０−５０ｗ／ｖ％のＨＰＭＣ−ＡＳを含む請求項１１に記載の組成物。
【請求項１３】
約２０−４０ｗ／ｖ％の（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約８０−６０ｗ／ｖ％のＨＰＭＣ−ＡＳを含む請求項１２に記載の組成物。
【請求項１４】
約２５ｗ／ｖ％の（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、および約７５％のＨＰＭＣ−ＡＳを含む請求項１３の組成物。
【請求項１５】
少なくとも約３ヶ月間物理化学的に安定である、請求項１１に記載の組成物。
【請求項１６】
少なくとも約６ヶ月間物理化学的に安定である、請求項１５に記載の組成物。
【請求項１７】
噴霧乾燥により製造された組成物である、請求項１１に記載の組成物。
【請求項１８】
打錠された組成物である、請求項１７に記載の組成物。
【請求項１９】
経口投与可能な組成物である、請求項１８に記載の組成物。
【請求項２０】
経口投与可能な組成物である、請求項１１に記載の組成物。
【請求項２１】
（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミド、ならびにＰＶＰ−ＶＡおよびＨＰＭＣ−ＡＳからなる群から選択される１つの成分を含む医薬錠剤。
【請求項２２】
（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミドをＰＶＰ−ＶＡと共にホットメルト押出成形することを特徴とする、アモルファス固形分散組成物の製造方法。
【請求項２３】
（２Ｒ）−２−［［（４−クロロフェニル）スルホニル］［［２−フルオロ−４−(１，２，４−オキサジアゾール−３−イル）フェニル］メチル］アミノ］−５，５，５−トリフルオロペンタンアミドをＨＰＭＣ−ＡＳと共に噴霧乾燥することを特徴とする、アモルファス固形分散組成物の製造方法。
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
混合系統白血病、転座した混合系統白血病；転座した混合系統白血病に基づいた急性骨髄性白血病；転座した混合系統白血病に基づいた急性リンパ性白血病；非ＭＬＬに基づいた慢性骨髄増殖性疾患；または非ＭＬＬに基づいた急性リンパ性白血病を治療するための医薬を調製するための７−（２，５−ジヒドロ−４−イミダゾ［１，２−ａ］ピリジン−３−イル−２，５−ジオキソ−１Ｈ−ピロール−３−イル）−９−フルオロ−１，２，３，４−テトラヒドロ−２−（１−ピペリジニルカルボニル）−ピロロ［３，２，１−ｊｋ］［１，４］ベンゾジアゼピンまたはその薬学的に受容可能な塩もしくは溶媒和物の使用。
【請求項２】
前記白血病は、混合系統白血病；転座した混合系統白血病；転座した混合系統白血病に基づいた急性骨髄性白血病；または転座した混合系統白血病に基づいた急性リンパ性白血病である、請求項１に記載の使用。
【請求項３】
前記白血病は、混合系統白血病である、請求項２に記載の使用。
【請求項４】
前記白血病は、転座した混合系統白血病である、請求項２に記載の使用。
【請求項５】
前記白血病は、転座した混合系統白血病に基づいた急性骨髄性白血病である、請求項２に記載の使用。
【請求項６】
前記白血病は、転座した混合系統白血病に基づいた急性リンパ性白血病である、請求項２に記載の使用。
【請求項７】
前記白血病は、非ＭＬＬに基づいた慢性骨髄増殖性疾患である、請求項１に記載の使用。
【請求項８】
前記非ＭＬＬに基づいた慢性骨髄増殖性疾患は、非ＭＬＬに基づいた急性骨髄性白血病；赤白血病；または慢性骨髄性白血病である、請求項７に記載の使用。
【請求項９】
前記非ＭＬＬに基づいた慢性骨髄増殖性疾患は、非ＭＬＬに基づいた慢性骨髄性白血病である、請求項８に記載の使用。
【請求項１０】
前記非ＭＬＬに基づいた慢性骨髄増殖性疾患は、非ＭＬＬに基づいた急性骨髄性白血病である、請求項８に記載の使用。
【請求項１１】
前記非ＭＬＬに基づいた慢性骨髄増殖性疾患は、赤白血病である、請求項８に記載の使用。
【請求項１２】
前記白血病は、非ＭＬＬに基づいた急性リンパ性白血病である、請求項１に記載の使用。
【請求項１３】
前記非ＭＬＬに基づいた慢性骨髄増殖性疾患は、ＪＡＫ２（＋）である、請求項７に記載の使用。
【請求項１４】
前記非ＭＬＬに基づいた慢性骨髄増殖性疾患は、フィラデルフィア陽性慢性骨髄性白血病である、請求項７に記載の使用。
【請求項１５】
混合系統白血病、転座した混合系統白血病；転座した混合系統白血病に基づいた急性骨髄性白血病；転座した混合系統白血病に基づいた急性リンパ性白血病；非ＭＬＬに基づいた慢性骨髄増殖性疾患；または非ＭＬＬに基づいた急性リンパ性白血病の治療に使用するための、化合物７−（２，５−ジヒドロ−４−イミダゾ［１，２−ａ］ピリジン−３−イル−２，５−ジオキソ−１Ｈ−ピロール−３−イル）−９−フルオロ−１，２，３，４−テトラヒドロ−２−（１−ピペリジニルカルボニル）−ピロロ［３，２，１−ｊｋ］［１，４］ベンゾジアゼピンまたはその薬学的に受容可能な塩もしくは溶媒和物を含む医薬組成物。
【請求項１６】
前記白血病は、転座した混合系統白血病に基づいた急性骨髄性白血病である、請求項１５に記載の組成物。
【請求項１７】
前記白血病は、転座した混合系統白血病に基づいた急性リンパ性白血病である、請求項１５に記載の組成物。
【請求項１８】
前記白血病は、非ＭＬＬに基づいた急性骨髄性白血病；赤白血病；および慢性骨髄性白血病から選択される非ＭＬＬに基づいた慢性骨髄増殖性疾患である、請求項１５に記載の組成物。
【請求項１９】
前記白血病は、非ＭＬＬに基づいた急性骨髄性白血病である、請求項１８に記載の組成物。
【請求項２０】
前記白血病は、非ＭＬＬに基づいた慢性骨髄性白血病である、請求項１８に記載の組成物。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
式(I)：
【化１】
2012524043.tif 000001
（ここで、
R1はイミダゾリル、ピリジニルまたはピリミジニルであり、これらのいずれもがC1-3アルキルおよびC1-3アルコキシから独立して選択される１つの基により任意に置換されていてもよい）
の化合物またはその塩。
【請求項２】
R1がイミダゾリル、ピリジニルまたはピリミジニルであり、これらのいずれもがメチルおよびメトキシから独立して選択される１つの基により任意に置換されていてもよい請求項１に記載の化合物またはその塩。
【請求項３】
R1がピリジニルまたはピリミジニルであり、これらのいずれもがメチルおよびメトキシから独立して選択される１つの基により任意に置換されていてもよい請求項１または２に記載の化合物またはその塩。
【請求項４】
R1が、メチルおよびメトキシから独立して選択される１つの基により任意に置換されていてもよいピリジニルである、請求項１〜３のいずれか１項に記載の化合物またはその塩。
【請求項５】
N-[[7-[2-(メチルオキシ)-3-ピリジニル]-2-(トリフルオロメチル)-1H-インドール-5-イル]メチル]-6-(トリフルオロメチル)-3-ピリジンカルボキサミド；
N-[[7-(2-ピリジニル)-2-(トリフルオロメチル)-1H-インドール-5-イル]メチル]-6-(トリフルオロメチル)-3-ピリジンカルボキサミド；
N-[[7-(3-ピリジニル)-2-(トリフルオロメチル)-1H-インドール-5-イル]メチル]-6-(トリフルオロメチル)-3-ピリジンカルボキサミド；
N-[[7-(4-ピリジニル)-2-(トリフルオロメチル)-1H-インドール-5-イル]メチル]-6-(トリフルオロメチル)-3-ピリジンカルボキサミド；
N-[[7-(5-ピリミジニル)-2-(トリフルオロメチル)-1H-インドール-5-イル]メチル]-6-(トリフルオロメチル)-3-ピリジンカルボキサミド；
N-[[7-(2-メチル-3-ピリジニル)-2-(トリフルオロメチル)-1H-インドール-5-イル]メチル]-6-(トリフルオロメチル)-3-ピリジンカルボキサミド；
N-[[7-(4-メチル-3-ピリジニル)-2-(トリフルオロメチル)-1H-インドール-5-イル]メチル]-6-(トリフルオロメチル)-3-ピリジンカルボキサミド；
N-[[7-[6-(メチルオキシ)-3-ピリジニル]-2-(トリフルオロメチル)-1H-インドール-5-イル]メチル]-6-(トリフルオロメチル)-3-ピリジンカルボキサミド；および
N-[[7-(1-メチル-1H-イミダゾール-2-イル)-2-(トリフルオロメチル)-1H-インドール-5-イル]メチル]-6-(トリフルオロメチル)-3-ピリジンカルボキサミド；
から選択される化合物またはその塩。
【請求項６】
上記の塩が医薬的に許容される塩である、請求項１〜５のいずれか１項に記載の塩。
【請求項７】
医薬として用いるための、請求項１〜５のいずれか１項に記載の化合物またはその医薬的に許容される塩。
【請求項８】
精神病性障害の治療に用いるための、請求項１〜５のいずれか１項に記載の化合物またはその医薬的に許容される塩。
【請求項９】
精神病性障害が統合失調症である、請求項８に記載の化合物またはその医薬的に許容される塩。
【請求項１０】
認知障害の治療に用いるための、請求項１〜５のいずれか１項に記載の化合物またはその医薬的に許容される塩。
【請求項１１】
精神病性障害の治療用医薬の製造における、請求項１〜５のいずれか１項に記載の化合物またはその医薬的に許容される塩の使用。
【請求項１２】
精神病性障害が統合失調症である、請求項１１に記載の使用。
【請求項１３】
認知障害の治療用医薬の製造における、請求項１〜５のいずれか１項に記載の化合物またはその医薬的に許容される塩の使用。
【請求項１４】
a) 請求項１〜５のいずれか１項に記載の化合物またはその医薬的に許容される塩およびb)１以上の医薬的に許容される担体または賦形剤を含む医薬組成物。
【手続補正書】
【提出日】平成25年4月16日(2013.4.16)
【手続補正１】
【補正対象書類名】明細書
【補正対象項目名】００２０
【補正方法】変更
【補正の内容】
【００２０】
もう一つの態様によれば、本発明は、詳細には
ａ．  神経変性疾患（例えば、アルツハイマー病、パーキンソン病、多発性硬化症、筋萎縮性側索硬化症、癲癇重積持続状態、ハンチントン病など）、更に具体的には、上記慢性神経変性疾患に関連したアポトーシス過程、酸化ストレスまたは小胞体ストレス、
ｂ．  認知衰退、
ｃ．  望ましくない酸化に関連した疾患、
ｄ．  年齢に関連した病理過程および早老症、
ｅ．  癲癇、癲癇発作および痙攣、
ｆ．  アテローム性動脈硬化症、心房細動、脂質異常症（ｄｙｓｌｉｐｅｍｉａ）、高コレステロール血症、高脂血症および高トリグリセリド血症のような循環器疾患、または
ｇ．  真菌またはウイルス感染症
の予防および／または治療において神経保護薬として使用するための、式（Ｉ）の化合物、そのヒドロキシ酸形態または上記ヒドロキシ酸の薬学上許容可能な塩および／または該化合物もしくはそのヒドロキシ酸形態の薬学上許容可能なプロドラッグもしくは溶媒和物に関する。
【手続補正２】
【補正対象書類名】明細書
【補正対象項目名】００２１
【補正方法】変更
【補正の内容】
【００２１】
本発明の一態様は、薬剤の製造における、式（Ｉ）の化合物、そのヒドロキシ酸形態、上記ヒドロキシ酸の薬学上許容可能な塩および／または該化合物もしくはそのヒドロキシ酸形態の薬学上許容可能なプロドラッグもしくは溶媒和物の使用に関する。特定態様によれば、この薬剤は神経保護薬、詳細には
ａ．  神経変性疾患（例えば、アルツハイマー病、パーキンソン病、多発性硬化症、筋萎縮性側索硬化症、癲癇重積持続状態、ハンチントン病など）、更に具体的には、上記慢性神経変性疾患に関連したアポトーシス過程、酸化ストレスまたは小胞体ストレス、
ｂ．  認知衰退、
ｃ．  望ましくない酸化に関連した疾患、
ｄ．  年齢に関連した病理過程および早老症、
ｅ．  癲癇、癲癇発作および痙攣、
ｆ．  アテローム性動脈硬化症、心房細動、脂質異常症（ｄｙｓｌｉｐｅｍｉａ）、高コレステロール血症、高脂血症および高トリグリセリド血症のような循環器疾患、または
ｇ．  真菌またはウイルス感染症
の予防および／または治療において神経保護薬として使用するためのものである。
【手続補正３】
【補正対象書類名】明細書
【補正対象項目名】００６８
【補正方法】変更
【補正の内容】
【００６８】
化合物ＮＳＴ００３７の無害および安全性を一層効果的に定義しかつ上記例で行った検討を確認するために、本発明者らは、例２６に記載されているように成熟魚に投与後の化合物ＮＳＴ００３７の生物安全性をシンバスタチンと比較して分析することに決定した。結果は、シンバスタチンでは投与の４日後に死亡率が有意になったが、ＮＳＴ００３７に関連した死亡率は誤差範囲であった（表ＩＩＩ）。更に、シンバスタチンでは１００ｍｇ／ｋｇを投与した動物の卵巣に明らかな組織病理学的変化が生じたが、ＮＳＴ００３７ではこの用量では有害効果を全く生じなかった（図６１）。
【手続補正４】
【補正対象書類名】特許請求の範囲
【補正対象項目名】全文
【補正方法】変更
【補正の内容】
【特許請求の範囲】
【請求項１】
式（Ｉ）：
【化１】
2012524047.tif 000001
の化合物、そのヒドロキシ酸形態、上記ヒドロキシ酸の薬学上許容可能な塩、並びに該化合物およびそのヒドロキシ酸形態の薬学上許容可能なプロドラッグおよび溶媒和物。
【請求項２】
請求項１に記載の式（Ｉ）の化合物および／またはそのヒドロキシ酸形態および／または上記ヒドロキシ酸の薬学上許容可能な塩および／または該化合物もしくはそのヒドロキシ酸形態の薬学上許容可能なプロドラッグもしくは溶媒和物と、少なくとも１種類の薬学上許容可能なアジュバント、キャリヤーおよび／またはビヒクルとを含んでなる、医薬組成物。
【請求項３】
請求項１に記載の式（Ｉ）の化合物、そのヒドロキシ酸形態または上記ヒドロキシ酸の薬学上許容可能な塩および／または該化合物もしくはそのヒドロキシ酸形態の薬学上許容可能なプロドラッグもしくは溶媒和物を含んでなる、医薬組成物。
【請求項４】
ａ．    神経変性疾患、
ｂ．    認知衰退、
ｃ．    望ましくない酸化に関連した疾患、
ｄ．    年齢に関連した病理過程および早老症、
ｅ．    癲癇、癲癇発作および痙攣、
ｆ．    アテローム性動脈硬化症、心房細動、脂質異常症（ｄｙｓｌｉｐｅｍｉａ）、高コレステロール血症、高脂血症および高トリグリセリド血症のような循環器疾患、または
ｇ．    真菌またはウイルス感染症
の予防および／または治療に使用するための、請求項２または３に記載の医薬組成物。
【請求項５】
神経変性疾患が、アルツハイマー病、ハンチントン病、パーキンソン病、筋萎縮性側索硬化症（ＡＬＳ）または多発性硬化症である、請求項４に記載の医薬組成物。
【請求項６】
薬剤の製造における、請求項１に記載の式（Ｉ）の化合物、そのヒドロキシ酸形態、上記ヒドロキシ酸の薬学上許容可能な塩および／または該化合物もしくはそのヒドロキシ酸形態の薬学上許容可能なプロドラッグもしくは溶媒和物の使用。
【請求項７】
該薬剤を、
ａ．神経変性疾患、
ｂ．認知衰退、
ｃ．望ましくない酸化に関連した疾患、
ｄ．年齢に関連した病理過程および早老症、
ｅ．癲癇、癲癇発作および痙攣、
ｆ．アテローム性動脈硬化症、心房細動、脂質異常症、高コレステロール血症、高脂血症および高トリグリセリド血症のような循環器疾患、または
ｇ．真菌またはウイルス感染症
の予防および／または治療に用いる、請求項６に記載の使用。
【請求項８】
セラジン−１／ＤＨＣＲ２４遺伝子発現の増加において使用するための、請求項２または３に記載の医薬組成物。
【請求項９】
セラジン−１／ＤＨＣＲ２４遺伝子に関係する疾患の予防および／または治療において使用するための、請求項２または３に記載の医薬組成物。
【請求項１０】
神経変性疾患に関連した神経細胞死、望ましくない酸化に関連した疾患または年齢に関連した病理過程を予防しおよび／または治療する、請求項９に記載の医薬組成物。
【請求項１１】
セラジン−１／ＤＨＣＲ２４遺伝子発現を増加させる薬剤の製造における、請求項１に記載の式（Ｉ）の化合物、そのヒドロキシ酸形態、上記ヒドロキシ酸の薬学上許容可能な塩および／または該化合物もしくはそのヒドロキシ酸形態の薬学上許容可能なプロドラッグもしくは溶媒和物の使用。
【請求項１２】
セラジン−１／ＤＨＣＲ２４遺伝子に関連した疾患の予防および／または治療のための薬剤の製造における、請求項１に記載の式（Ｉ）の化合物、そのヒドロキシ酸形態、上記ヒドロキシ酸の薬学上許容可能な塩および／または該化合物もしくはそのヒドロキシ酸形態の薬学上許容可能なプロドラッグもしくは溶媒和物の使用。
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
一般式(I)：
【化１】
2012524059.tif 000001
（式中、
− X は炭素原子または窒素原子であり、両原子は酸素原子で任意に置換され；
− R1 は酸素原子、ハロゲン原子または硫黄原子であり；
− R2 は水素原子であるか、または
R1およびR2 はそれらが結合する炭素原子と一緒になって、次の環
【化２】
2012524059.tif 000002
を形成してもよく、但し、R1 およびR2 が上記の環を形成するとき、X は炭素原子であり；
− R3 は、水素原子；ハロゲン原子；1〜6個の炭素原子を含み、1個の酸素原子もしくは1個のエステル官能基で任意に遮断されたアルキル基、または2〜6個の炭素原子を含むアルケニレン基である、但し、R1およびR2 が上記の環に相当しないとき、R3は水素であり；
− R4 は、
− 水素原子、
− 1〜6個の炭素原子を含み、1個の酸素原子で任意に遮断されたアルキル基、
− 5〜15個の間の炭素原子および1〜10個の間の窒素原子を含む直鎖
であり、前記の鎖は1〜5個の酸素原子を任意に含み、1個のハロゲン原子で任意に置換されたベンジル基で任意に遮断され、前記の鎖の炭素および／または窒素原子は、1〜3個の炭素原子を含む1もしくは2個のアルキル基で任意に置換され、前記の鎖の炭素原子は=NH官能基で任意に置換され；
− R5 は、水素原子、ハロゲン原子または基：
【化３】
2012524059.tif 000003
であり；
R4およびR5 はそれらが結合する炭素原子と一緒になって、次の環：
【化４】
2012524059.tif 000004
を形成してもよく；
− R6、R7 およびR8は同一または異なっていてもよく、
− 水素原子；
− ハロゲン原子；
− ベンジル基を任意に含む、1個の酸素原子または1個のエステル官能基で任意に遮断された、1〜6個の炭素原子を含むアルキル基；
− 基-NH2；
− 基：
【化５】
2012524059.tif 000005
であり、
R6およびR8 はそれらが結合する炭素原子と一緒になって、ベンジル基を形成してもよい；
但し、R1 およびR2 が上記で定義された環に相当し、R4 = R5 = R7 = R8 = H およびR6 = Clであるとき、R3 は-O-CH3 ではないか、または
R1およびR2 が上記で定義された環に相当し、R3 = R5 = R4 = R8 = Hであり、R7がR6のオルト位にあるとき、R6およびR7 は同時に-O-CH3ではない）
を有する化合物または医薬的に許容な塩を含む、ATP合成の不全もしくは欠如に関するか、または活性酸素種(ROS)の過剰な蓄積に関する障害または疾患の予防および／または治療用医薬組成物。
【請求項２】
前記化合物が化合物A、BおよびDの中から選択される、請求項1に記載の医薬組成物。
【請求項３】
前記化合物が、式(Ia)：
【化６】
2012524059.tif 000006
（式中、R3、R5、R6、R7およびR8 は前記のように定義され；
− R4 は、
− 水素原子；
− 1〜6個の炭素原子を含み、1個の酸素原子で任意に遮断されたアルキル基
であるか；または
R4およびR5はそれらが結合する炭素原子と一緒になって、環：
【化７】
2012524059.tif 000007
を形成してもよい）
で定義されるかまたは一般式(Ia)の化合物の医薬的に許容な塩である、請求項1に記載の医薬組成物。
【請求項４】
前記化合物が、5、6、7、8、9、10、11、12、13、14、15、18、20、21、22、23、24、25、27、32および36の中から選択される、請求項3に記載の医薬組成物。
【請求項５】
前記の障害または疾患がミトコンドリア疾患である、請求項1〜4のいずれか一つに記載の医薬組成物。
【請求項６】
前記ミトコンドリア疾患が、症候群のNARP(神経性薄弱運動失調網膜色素変性症)、LHON(レーバー遺伝性視神経萎縮)、MILS(母性遺伝のリー症候群)、MERRF(赤色ぼろ線維を伴うオクローヌスてんかん)およびHSP(遺伝性痙性対麻痺)である、請求項4に記載の医薬組成物。
【請求項７】
生理学的老化の加速の予防および／または治療用である、請求項1〜4のいずれか一つに記載の医薬組成物。
【請求項８】
アルツハイマー病、筋無力病、パーキンソン病を含む神経変性疾患の予防および／または治療用である、請求項1〜4のいずれか一つに記載の医薬組成物。
【請求項９】
薬物としての前記で定義された一般式(Ia)の化合物。
【請求項１０】
式8、10、31、32、33、34、35および36の化合物。
【請求項１１】
式Cの化合物(クロトリマゾール)を含む、成長遅滞、筋力低下、視覚欠損、聴覚欠損、心臓病、肝臓病、腎臓病、胃腸障害および呼吸器障害からなる群の中から選択されるミトコンドリア疾患の症状の予防および／または治療用医薬組成物。
【手続補正書】
【提出日】平成25年3月28日(2013.3.28)
【手続補正１】
【補正対象書類名】明細書
【補正対象項目名】０１０６
【補正方法】変更
【補正の内容】
【０１０６】
表１
総濃度（角括弧内のものは遊離濃度）
ＬＲ、低弛緩溶液；ＨＲ、高弛緩溶液；ＨＡ、高活性化溶液；ＳＫ、スキニング（skinning）溶液；ＬＳ、ローディング（loading）溶液。
【表１】
2012524034.tif 000001